(57)【特許請求の範囲】
【請求項１】
高層住宅のベランダに設置する工事用足場であって、
前記ベランダは、ベランダ床面と、ベランダ天井壁と、ベランダ側壁と、前記ベランダ床面の幅方向にベランダ室内側から一部を突出して隣接する前記ベランダ同士を仕切るベランダ中柱と、を有して構成され、
前記工事用足場が、前記ベランダ床面に接地するベース部と、前記ベース部から立ち上がる胴体部と、前記ベース部に連結されて前記ベランダ天井壁を押圧可能な押圧部と、を備えて、前記ベランダ床面と前記ベランダ天井壁とを突っ張るように支持する支柱ユニットを有して構成され、
前記押圧部は、前記ベランダ天井壁の幅方向に沿って押圧する第１の押圧部材と、前記第１の押圧部材よりベランダ室内側の位置で押圧する第２の押圧部材と、を有して構成され、
前記支柱ユニットが、前記ベランダ床面の長手方向に沿って、少なくとも２基以上並設され、
前記胴体部が、前記ベランダ側壁上に配設されるレール支持台を備え、
前記支柱ユニットにおける前記レール支持台上に、少なくとも２本の主レールが前記ベランダの長手方向に沿って掛け渡され、作業者の搭乗する足場台ユニットが前記主レール上を走行可能に配設されていることを特徴とする工事用足場。
【請求項２】
前記胴体部は、前記ベランダ側壁内付近において前記ベース部から立ち上がる縦支柱と前記縦支柱の上端から前記ベランダ側壁の上方で前記ベランダ側壁外方に向かって配設される延設横支柱とを備え、前記足場台ユニットは、前記胴体部の延設横支柱の上方に配設される水平腕部と前記胴体部の縦支柱内部に立ち上がる垂直腕部とを備えた基台を介して走行可能に支持されていることを特徴とする請求項１記載の工事用足場。
【請求項３】
前記基台は、前記胴体部の延設横支柱上に配設された主レール内を摺動するローラと、前記ベランダ側壁内において前記主レールより下方の位置に敷設された補助レール内を摺動する補助ローラとを備えていることを特徴とする請求項２記載の工事用足場。
【請求項４】
前記第１の押圧部材は、前記ベランダ天井壁の幅方向に沿って面接触可能に配設されていることを特徴とする請求項１，２又は３記載の工事用足場。
【請求項５】
前記足場台ユニットには、作業者の昇降可能な複数段のステップを有する作業ステップが配設されていることを特徴とする請求項１，２，３又は４記載の工事用足場。
【発明の詳細な説明】
【技術分野】
【０００１】
本発明は、高層住宅又は超高層住宅等におけるベランダに設置してベランダ側壁の清掃工事や改修工事を行うための工事用足場に関する。この工事用足場は、ベランダ内において隣室のベランダ同士を仕切る中柱を有したベランダのある高層住宅又は超高層住宅に好適に使用することができる。
【背景技術】
【０００２】
地上２０階以上を越える高層住宅や超高層住宅でのベランダ側壁の清掃工事や改修工事等の外壁工事を行う場合、高層で発生するビル風が建物に当たって舞い上がったり、また吹き抜けたりすることによって、地上では考え難い風の影響を受けやすい。このため、従来から行われていたベランダ側壁工事、例えば、屋上からゴンドラを吊り下げて行う作業は、危険が大きいことから実施できにくい状況にあった。近年、超高層住宅が立ち並ぶ中、ベランダ側壁工事の際にゴンドラの落下する事故が発生している。また、地上から積み上げて構成するピケ足場の場合、高層住宅の場合では、足場作りが大掛かりな作業となって工事の長期化又は莫大な工事費用がかかり、現実には足場を構成することに無理が生じていた。
【０００３】
このことから、従来では、特許文献１に知られるように、高層住宅や超高層住宅のベランダ内で組付・分解ができる足場が提供されていた。これによると、工事用足場は、ベランダの長手方向に沿ってベランダ床面から立ち上がる複数の単体足場ユニットが構成されていた。各足場ユニットからベランダ側壁外に向かって足場台用ステーを装着し、ベランダ側壁の外側において各足場台用ステーの先端部に足場台を掛け渡すように構成されていた。作業者は足場台に載ってベランダ外壁の改修工事を行っていた。各単体足場ユニットは、ベース部と胴体部と押圧部とを備えてベランダの床面と天井壁とを突っ張るように支持できるように構成されていた。押圧部はベランダ天井壁の幅方向に沿って面接触できるとともに、第１の押圧部よりベランダ天井壁の室内側に第２の押圧部を設けてベランダ天井壁を押圧可能に構成されていた。これによって、足場を強固に支持することができるとともに、足場本体を簡略化することができ、工期も短くすることができ、工事費用も廉価にすることができることとなっていた。
【特許文献１】特開２０１０−１３３１５４公報
【発明の開示】
【発明が解決しようとする課題】
【０００４】
特許文献１の工事用足場では、ベランダ床面から立ち上がるように単体足場ユニットを設置し、ベランダ側壁外において各足場ユニットから延設された足場台用ステーの先端部に足場台を配置していた。単体足場ユニットは、ベランダ内でベランダに強固に支持されていることから、作業者は、ベランダ側壁外に掛け渡された足場台に載ってベランダの外壁工事を行っても安全に作業することが出来ていた。
【０００５】
しかし、高層住宅や超高層住宅では、例えば、ベランダ内における隣室のベランダ同士をベランダの幅方向に沿って一部仕切るベランダ中柱を有して構築されているものがある。このタイプのベランダでは、ベランダ外壁の長い距離の改修工事を行う際に、足場をベランダ内に沿って移動する場合、特許文献１の単体足場ユニットがベランダ中柱に干渉してしまうことから、各単体足場ユニットをベランダ床面から立ち上がるように構成することはできない。そのため、作業者の作業できる足場がベランダ中柱と干渉しない位置となるように工事用足場を新たに構築する必要があった。
【課題を解決するための手段】
【０００６】
本発明は、上述の課題を解決するものであり、隣室のベランダ同士を仕切るベランダ中柱を有する高層住宅又は超高層住宅であっても、ベランダに強固に支持されて安全に作業でき、しかも短期間で廉価に設置できる工事用足場を提供することを目的とする。そのため、本発明に係る工事用足場は、以下のように構成するものである。すなわち、
請求項１記載の発明は、高層住宅のベランダに設置する工事用足場であって、前記ベランダは、ベランダ床面と、ベランダ天井壁と、ベランダ側壁と、前記ベランダ床面の幅方向にベランダ室内側から一部を突出して隣接する前記ベランダ同士を仕切るベランダ中柱と、を有して構成され、前記工事用足場は、前記ベランダ床面に接地するベース部と、前記ベース部から立ち上がる胴体部と、前記ベース部に連結されて前記ベランダ天井壁を押圧可能な押圧部と、を備えて、前記ベランダ床面と前記ベランダ天井壁とを突っ張るように支持する支柱ユニットを有して構成され、前記押圧部は、前記ベランダ天井壁の幅方向に沿って押圧する第１の押圧部材と、前記第１の押圧部材よりベランダ室内側の位置で押圧する第２の押圧部材と、を有して構成され、前記支柱ユニットが、前記ベランダ床面の長手方向に沿って、少なくとも２基以上並設され、前記胴体部が、前記ベランダ側壁上に配設されるレール支持台を備え、前記支柱ユニットにおける前記レール支持台上に、少なくとも２本の主レールが前記ベランダの長手方向に沿って掛け渡され、作業者の搭乗する足場台ユニットが前記主レール上を走行可能に配設されていることを特徴とするものである。
【０００７】
請求項２記載の発明は、請求項１の発明に係るものであって、前記胴体部は、前記ベランダ側壁内付近において前記ベース部から立ち上がる縦支柱と前記縦支柱の上端から前記ベランダ側壁の上方で前記ベランダ側壁外方に向かって配設される延設横支柱とを備え、前記足場台ユニットは、前記胴体部の延設横支柱の上方に配設される水平腕部と前記胴体部の縦支柱内部に立ち上がる垂直腕部とを備えた基台を介して走行可能に支持されていることを特徴としている。
【０００８】
請求項３記載の発明は、請求項２の発明に係るものであって、前記基台は、前記胴体部の延設横支柱上に配設された主レール内を摺動するローラと、前記ベランダ側壁内において前記主レールより下方の位置に敷設された補助レール内を摺動する補助ローラとを備えていることを特徴としている。
【０００９】
請求項４記載の発明は、請求項１，２又は３の発明に係るものであって、前記第１の押圧部材は、前記ベランダ天井壁の幅方向に沿って面接触可能に配設されていることを特徴としている。
【００１０】
請求項５記載の発明は、請求項１，２，３又は４記載の発明であって、前記足場台ユニットには、作業者の昇降可能な複数段のステップを有する作業ステップが配設されていることを特徴としている。
【発明の効果】
【００１１】
本発明の請求項１の構成によれば、工事用足場は、ベース部、胴体部、押圧部を備えた支柱ユニットを少なくとも２基以上備え、胴体部がレール支持台を備えている。レール支持台はベランダ側壁上に配設されている。各支柱ユニットに配設されたレール支持台に２本の主レールが掛け渡され、足場台ユニットが主レール上を走行可能に配設されている。これにより、ベランダ側壁上を走行する足場台ユニットは、ベランダ中柱に干渉することなく長いベランダに沿って移動することができる。しかもこの支柱ユニットは、第１の押圧部材と第２の押圧部材の２箇所でベランダ天井壁を押圧しているから、ベランダ床面とベランダ天井壁を強固に突っ張ることができる。しかも、この工事用足場は、ベランダ内に設置できるので、短期間で廉価な費用で工事を行うことができる。
【００１２】
本発明の請求項２の構成によれば、足場台ユニットは、水平腕部と垂直腕部を有する基台を備えている。垂直腕部は胴体部の縦支柱よりベランダ内方に配設されているから、足場台ユニットが万が一傾くことがあっても、胴体部の縦支柱に支持されることにより、足場台ユニットの落下を防止することができる。
【００１３】
本発明の請求項３の構成によれば、足場台ユニットは、足場台ユニットを走行させる場合に、ベランダ側壁上に配設された２本の主レールに摺動可能なローラと、主レールの下方でベランダ内側に敷設された補助レールに摺動可能な補助ローラを備えているから、高層作業であっても足場台ユニットを安定して走行させることができる。
【００１４】
また、本発明の請求項４の構成によれば、第１の押圧部材はベランダ天井壁に幅方向に沿って面接触可能に形成されているから、各単体ユニットがベランダ側壁から落下する方向には傾き難い。
【００１５】
また、本発明の請求項５の構成によれば、足場台ユニットには、複数段のステップを有する作業ステップが配設されているから、ベランダ外壁工事を行う際、作業ステップのいずれかのステップに乗って作業することで安全に作業することができる。
【図面の簡単な説明】
【００１６】
【図１】本発明における第１実施形態の足場の全体斜視図である。
【図２】同側面図であるである。
【図３】同平面図である。
【図４】同正面図である。
【図５】図１における足場の押圧部を示す断面図である。
【図６】図１における走行ローラを示す拡大詳細図である。
【図７】図４における補助中間ローラを示す斜視図である。
【図８】図１における手摺組を示す斜視図である。
【図９】作業ステップの組付手順を示す平面図である。
【発明を実施するための最良の形態】
【００１７】
次に、本発明の工事用足場に係る実施形態を図面に基づいて説明する。本発明の工事用足場は、ビル風が吹き付ける超高層住宅に設置する足場として好適に使用できるものであるが、もちろん超高層住宅でなくても、ベランダが設置されている高層住宅或いは低層住宅にも適用することができる。なお、ベランダは、ベランダ床面と、ベランダ天井壁と、ベランダ側壁、ベランダ中柱からなるものとする。なお、以下の説明では、ベランダにおける部屋側をベランダ室内側といい、部屋から外部に向かって遠ざかる方向をベランダ室外側という。また、足場におけるベランダ室内側からベランダ室外側を前後方向といい、ベランダ床面に沿って移動する方向をベランダの長手方向あるいは長さ方向という。さらに、ベランダの室内側から室外側に向かって作業者が乗る足場台を見たときを足場台の正面とし、ベランダの長手方向に沿って足場台を見たときを足場台の側面とする。
【００１８】
図１は第１実施形態の工事用足場(以下、単に足場という)Ｍを示す全体斜視図であり、図２はその側面図、図３はその平面図、図４はその正面図である。足場Ｍは、ベランダ３のベランダ床面４とベランダ天井壁５を突っ張るように配置され、ベランダ側壁６の外側でベランダ外壁の清掃工事や改修工事を行うように構成されている。なお、ベランダ３においては、隣室のベランダ３同士を仕切るようにベランダ中柱７がベランダ室内側からベランダ３内に突出して形成されている。また、この足場Ｍは、超高層住宅で作業を行うために、例えば、ビル風にあおられても、傾くことなくまた落下することのないように、ベランダ３に強固に支持されて安全な作業を行えるように構成されている。
【００１９】
図１〜４に示すように、第１実施形態の足場Ｍは、ベランダ床面４とベランダ天井壁５とを突っ張るように構成される支柱ユニット１０を少なくとも２基以上並設して各支柱ユニット１０にレール組２０を架け渡し、レール組２０に足場台ユニット３０を走行可能に配置することにより構成されている。
【００２０】
支柱ユニット１０は、ベランダ床面４に当接するベース部１１と、ベース部１１上に支持された胴体部１２と、ベランダ天井壁５に当接してベランダ天井壁５を押圧する押圧部１３とを備えている。
【００２１】
ベース部１１は、板状のベース板１１１と、ベランダ床面４に当接してベース板１１１に装着された複数の床面支持部材１１２とベランダ床面４を走行可能なキャスタ１１３とを備えている。
【００２２】
胴体部１２は、ベース板１１１にネジ締結されてベース板１１１から立ち上がるレール支持台１２１と、レール支持台１２１をベース板１１に補強支持する補強支柱１２２と、を備えている。レール支持台１２１は、ベランダ側壁６の内側に配置する縦柱１２１ａと、ベランダ側壁６の上方を縦柱１２１ａの上端からベランダ側壁６の外方に向かって延設する延設横支柱１２１ｂと、を有して逆さに向いたＬの字状に形成されている。補強支柱１２２は、実施形態では、レール支持台１２１の下部において、レール支持台１２１のベランダ室内側に対向する面に一端を水平方向に連結する連結部１２２ａと、主支柱１６を縦方向に外嵌する外嵌部１２２ｂを有して逆さに向いたＬの字状に形成されている。レール支持台１２１の縦柱１２１ａと補強支柱１２２の外嵌部１２２ｂとにはそれぞれ、図示しない複数の連結ピン孔が形成され、高さ調整可能に、いずれかの連結ピン孔を適宜使用して、図示しないピンを挿入して連結する。
【００２３】
押圧部１３は、ベランダ天井壁５の幅方向にそって長尺状に形成された第１の押圧部材１４と第１の押圧部材１４からベランダ室内側に向かって配置された第２の押圧部材１５とを備えている。押圧部１３は、ベース部１１に連結されてベランダ床面４とベランダ天井壁５とを突っ張るようにベランダ天井壁５を押圧することができれば、その構成を限定するものではない。
【００２４】
実施形態の押圧部１３の場合、側面視Ｔの字状に形成された角パイプで形成された第１の押圧部材１４が、ベランダ天井壁５の幅方向に沿って長尺となるように配置されて主支柱１６の上端部に装着されている。角パイプの第１の押圧部材１４には水平方向に移動可能なアーム部材１８が内嵌され、アーム部材１８のベランダ室内側端部に第２の押圧部材１５が連結されている。第１の押圧部材１４とアーム部材１８とは、図５に示すように、それぞれ、水平方向に沿って複数の位置決めピン孔１４１が形成されて、いずれかの位置決めピン孔１４１に位置決めピンＰを挿通させることによって、第２の押圧部材１５の位置を適宜決定することができる。なお、主支柱１６は、ベース板１１１から垂直方向に立ち上がるとともに、中間部位において２体に分割されてネジ部材で連結され、高さ方向に調整可能に形成されている。
【００２５】
補助支柱１７は、一端が主支柱１６の下端部付近に軸支され他端がアーム部材１８に軸支されている。補助支柱１７も、主支柱１６と同様、中間部位において２体に分割されてネジ部材で連結され、高さ方向に調整可能に形成されている。
【００２６】
第１の押圧部材１４は、その上面１４２がベランダ天井壁５に当接されて、高さ方向に調整されることによってベランダ天井壁５を押圧することになる。第２の押圧部材１５は、高さ調整可能な調整ネジ１５１を上方に移動するように調整することにより、調整ネジ１５１の上面に装着された押圧板１５２でベランダ天井壁５を押圧することになる。
【００２７】
支柱ユニット１０は、ベランダ床面４に沿って複数設置され、設置されたそれぞれの支柱ユニット１０のレール支持台１２１の延設横支柱１２１ｂ上に、レール組２０を構成するI形鋼で形成された２本一対の主レール２１がベランダ側壁６上を跨ぐように掛け渡され、さらに延設横支柱１２１ｂの下方でベランダ側壁６内において補強支柱１２２の連結部１２２ａ上に、みぞ形鋼で形成された１本の補助レール２５が掛け渡されている。
【００２８】
並列されたＩ形鋼の主レール２１、２１は、いずれもＩの字状になるようにレール支持台１２１上に装着されている。みぞ形鋼に形成された補助レール２５は開口部をベランダ側壁６側に向けるように補強支柱１２２上に配置されているとともにベース板１１１から立ち上がる主支柱１６に止め板２６を介して固着されている。主レール２１と補助レール２５には、足場台ユニット３０が走行可能に配置される。
【００２９】
足場台ユニット３０は、作業者が乗る矩形板状の足場台３１と、足場台３１の下方に配置されて一対の主レール２１及び補助レール２５を走行する走行方向に沿って２組装着された走行ユニット３２と、足場台３１から立ち上がる手摺組４０と、を備えている。また、手摺組４０内において足場台３１上には作業ステップ５０が装着されている。
【００３０】
足場台３１の下面には、足場台３１の走行方向に沿って離れた位置に２本のＬの字状の基台３２１が装着されている。基台３２１は、水平腕部３２１ａと垂直腕部３２１ｂを有して逆さに向いたＬの字状に形成されている。垂直腕部３２１ｂはレール支持台１２１の縦柱１２１ａの位置よりベランダ３内側となるように配置されている。
【００３１】
図６（a）に示すように、走行ユニット３２は、上述の基台３２１と、基台３２１から各主レール２１を間にして垂下されたローラ装着板３２２と、Ｉの字状の主レール２１内を両側の開口部から摺動可能に挿入されて主レール２１の内部底面上を走行する一対の主走行ローラ３２３と、主レール２１上を走行可能な１個の第２走行ローラ３２４と、図７に示すように、補助レール２５内を走行する補助走行ローラ３２５と、を有して構成されている。
【００３２】
また、補助走行ローラ３２５は基台３２１の垂直腕部３２１ｂの下端部付近に配置され、みぞ形鋼の補助レール２５の片側の開口部の底面上に摺動可能に装着されている。
【００３３】
なお、実施形態においては、また、図４及び図６（ｂ）に示すように、足場台ユニット３０の走行を安定させるために２組の走行ユニット３２間に、１本の主レール２１内を走行する２個の中間ローラ３５が配置されている。各中間ローラ３５は、足場台３１から垂下された中間ステー３６に装着された軸部３５１と、軸部３５１に水平方向に取り付けられたローラ部３５２とを備え、ローラ部３５２がI形状に配置された主レール２１の側壁部に摺動可能に装着されている。
【００３４】
また、２組の走行ユニット３２間の下方には、図７に示すように、補助レール２５を走行する２個の補助中間ローラ３７が配置されている。２個の補助中間ローラ３７は、２本の走行ユニット３２に跨るように連結された補助中間ステー３８に装着されている。補助中間ステー３８は、両端に基台３２１の垂直腕部３２１ｂに装着する腕部装着部３８１と補助中間ローラ３７を装着するローラ装着部３８２とを有している。補助中間ローラ３７は、ローラ装着部３８２から垂下して装着される軸部３７１と、軸部３７１に水平方向に装着されるローラ部３７２とを備え、ローラ部３７２がみぞ型状の補助レール２５の側壁部に摺動可能に装着されている。
【００３５】
図８に示すように、手摺組４０は、ベランダ室内側を除く３方で足場台３１から立ち上がるように、足場台３１の後辺から立ち上がる後手摺４１と、後手摺４１の両端から後手摺４１と直交して配置される左手摺４２、右手摺４３と、を備えている。後手摺４１と、左手摺４２、右手摺４３とは、図４に示すように、それぞれ足場台３１上に上部を開口した複数個のＵの字状の取付け片３３に取付けられて複数段の枠状に形成されるとともに、最下段の枠内には、図示しないアルミパネルが装着されている。後手摺４１と、左手摺４２、右手摺４３における後手摺４１側の一部には、後手摺４１、左手摺４２、右手摺４３に重なるように内側手摺組４４が装着されている。内側後手摺４４１と内側左手摺４４２と内側右手摺４４３は、それぞれ枠状に形成され、外枠が後手摺４１、左手摺４２、右手摺４３に立設されたみぞ形状の縦支柱４５に内嵌されている。縦支柱４５は、後手摺４１の両端部内側に一対の後縦支柱４５１を備え、左手摺４２、右手摺４３の後方にそれぞれ一対の左縦支柱４５２、右縦支柱４５３を備えている。みぞ形状に形成されたそれぞれの一対の左縦支柱４５２と右縦支柱４５３は内側左手摺４４２及び内側右手摺４４３がそれぞれ挿入できるようにお互いの開口部を対向するように配置している。内側手摺組４４は、後手摺４１、左手摺４２、右手摺４３に移動可能に挿入されて、後手摺４１、左手摺４２、右手摺４３の上面から上方に突出できるように構成されている。
【００３６】
内側手摺組４４の上端部は、つまり、内側後手摺４４１と内側左手摺４４２の上端部、及び内側後手摺４４１と内側右手摺４４３の上端部は、それぞれ、図８に示すように、直交する方向にそれぞれ一体的な止め部４６１を備えた止め金具４６で連結される。
【００３７】
実施形態における作業ステップ５０は、図８に示すように、下段ステップ５１と、下段ステップ５１の上方に配置された中段ステップ５２と、中段ステップ５２の上方に配置された上段ステップ５３の三段から構成されている。
【００３８】
下段ステップ５１は、作業者の足を乗せるための板状のプレート部５１１と足場台３１上に当接してプレート部５１１の両端下面に連結する脚部５１２とからなっている。プレート部５１１の両端部には、前後方向に一対立設された左縦支柱４５２、右縦支柱４５３のうち、前方（ベランダ室内側）の左縦支柱４５２、右縦支柱４５３に装着されたＵの字状の下段支持片４７１Ｌ、４７１Ｒに差し込み可能な差込部５１１ａＬ、５１１ａＲ（図９参照）を有している。
【００３９】
中段ステップ５２は、下段ステップ５１の上方において１枚のプレート部５２１で形成され、プレート部５２１は、下段支持片４７１Ｌ、４７１Ｒの上方で、一対の左縦支柱４５２に跨って配置された角パイプの中段支持片４７２Ｌ、一対の右縦支柱４５３に跨って配置された角パイプの中段支持片４７２Ｒ上に載置されている。
【００４０】
上段ステップ５３は、開閉可能な一対の分割ステップ５３Ａ、５３Ｂとして二分割して形成されている。中段支持片４７２Lの上方には、一対の左縦支柱４５２に跨って配置された角パイプ形の上段支持片４７３Ｌ、一対の右縦支柱４５３に跨って配置された角パイプの上段支持片４７３Ｒが装着されている。また、中段ステップ５２のプレート部５２１の中央前部から上方に立ち上がる縦支柱５５が配置され、縦支柱５５上に上段前部支持片４７３Ｆが配置されている。さらに、左右一対の上段支持片４７３Ｌ、４７３Ｒの後部には、左右一対の上段支持片４７３Ｌ、４７３Ｒに跨るように上段後部支持プレート４７３Ｂが配置されている。上段前部支持片４７３Ｆと上段後部支持プレート４７３Ｂの上面の高さは同一面に形成されている。
【００４１】
分割ステップ５３Ａ、５３Ｂは、いずれも、上段後部支持プレート４７３Ｂの後部で軸支されて前方に向かって回動可能に配置されるとともに、ステップ面５３１と、ステップ面５３１の前部から屈曲する支持片係合部５３２とを有している。支持片係合部５３２は、ステップ面５３１が水平上にあるときに下方に向かって屈曲されている。
【００４２】
次に、上述のように構成された足場Ｍの組立手順や、清掃工事、改修工事を含む外壁工事の作業手順について説明する。
【００４３】
まず、作業を行う階層に、分割された複数の足場Ｍのそれぞれの部位をエレベータによって搬送する。分割された部位は、足場Ｍを組付ける各部品及びボルト・ナット等の締結部材、及び作業を行うための清掃道具等となる。これ等は、全てエレベータに収納できる大きさに形成されている。
【００４４】
上記の部位をベランダ３内に持ち運んだ後、足場Ｍの支柱ユニット１０を組み立てる。まず、ベース板１１１に４個の床面支持部材１１２とキャスタ１１３を取り付けてベランダ床面４に接地する。この際、ベース部１１をできるだけベランダ室内側に配置して組み付けを行う。これによって、その後の組み付けをベランダ側壁６内でできるようにすることができて安全に作業できることになる。その後、胴体部１２及び主支柱１６、補助支柱１７をベース部１１上に取り付け、第１の押圧部材１４と第２の押圧部材１５をベランダ天井壁５に仮押圧して、ベランダ床面４とベランダ天井壁５との間を突っ張るように仮固定する。実施形態の場合、第１の押圧部材１４はベランダ天井壁５の幅方向に沿って長尺となるように取付け、第２の押圧部材１５は、ベランダ天井壁５に面接触できるように取付ける。
【００４５】
複数の支柱ユニット１０を組み付けた後、複数の支柱ユニット１０に掛け渡すように、胴体部１２の延設横支柱１２１ｂ上に一対の主レール２１を並列して取り付け、補強支柱１２２の連結部１２２a上に補助レール２５を取り付ける。この作業は、ベランダ側壁６から離れた位置のベランダ床面４内で行うため、主レール２１がベランダ中柱７に干渉することのない位置となるように組付けることになる。
【００４６】
一方、足場台３１の上面に手摺組４０を装着するための複数の取付け片３３を取り付け、足場台３１の下面側に主走行ローラ３２３、第２走行ローラ３２４を組み込んだ走行ユニット３２及び中間ローラ３５、中間ステー３６を組付ける。組み付けられた足場台３１を一対の主レール２１に載せ、主走行ローラ３２３、第２走行ローラ３２４を主レール２１に転動可能に挿入し、中間ローラ３５を補助レール２５に転動可能に挿入する。
【００４７】
次に、足場台３１上に手摺組４０を組付ける。足場台３１の取付け片３３に、足場台３１の前方を除く３辺に、後手摺４１、左手摺４２、右手摺４３を取付ける。その後、後手摺４１の内側に内側後手摺４４１、左手摺４２の内側に内側左手摺４４２、右手摺４３の内側に内側右手摺４４３を上下移動可能に取付ける。
【００４８】
内側手摺組４４を取付けた後、作業ステップ５０を取付けて、手摺組４０と作業ステップ５０を足場台３１に固定する。作業ステップ５０の組付は、図９（ｃ）に示すように、下段ステップ５１のプレート部５１１の差込部５１１ａＬ、５１１ａＲを下段支持片４７１Ｌ、４７１Ｒに差込み固定して脚部４１２を足場台３１に当接させる。次に、図９（ｂ）に示すように、中段ステップ５２のプレート部５２１を中段支持片４７２Ｌ、４７２Ｒ上に載置して固定する。次に、図９（ａ）に示すように、中段ステップ５２に上段前部支持片４７３Ｆを取付け固定し、分割ステップ５３Ａ、５３Ｂを回動可能に装着した上段後部支持片４７３Ｂを上段支持片４７３Ｌ、４７３Ｒに装着して固定する。
【００４９】
全ての部位を組付けて足場Ｍを構成すれば、ベース部１１のキャスタ１１３をベランダ側壁６側に移動させて、足場台ユニット３０がベランダ側壁６の上方となるようにする。そして、第１の押圧部材１４と第２の押圧部材１５をベランダ天井壁５に本締めして支柱ユニット１０をベランダ３内に強固に固定する。この際、レール組２０上を走行する足場台ユニット３０がベランダ中柱７に干渉しないことを確認しておく。そして、走行可能な足場台ユニット３０を作業する位置に固定しておく。
【００５０】
次に、外壁工事を行う。作業者は、作業ステップ５０に上りベランダ外壁の清掃工事や改修工事を行うことになる。この際、作業ステップ５０の中段ステップ５２に乗って作業する場合は、分割ステップ５３Ａ、５３Ｂを跳ね上げて固定した状態で行う。上段ステップ５３に乗って作業する場合は、内側手摺組４４を上方に移動して固定し、それぞれの角部を止め金具４６で固定する。そして、分割ステップ５３Ａ、５３Ｂのいずれかを跳ね上げ他の分割ステップ５３Ａ、５３Ｂのいずれかを降ろした状態で固定し、降ろした分割ステップ５３Ａ、５３Ｂに作業者が乗った後、跳ね上げた分割ステップ５３Ａ、５３Ｂのいずれかを降ろして固定する。そして改修作業を行う。
【００５１】
所定場所での改修工事が終了すると、足場台ユニット３０は固定解除してレール組２０及び補助レール２５に沿って次の位置に移動する。そして、その階層のベランダ外壁の改修工事をベランダ３の長手方向に沿って順に行うことになる。
【００５２】
足場台ユニット３０に乗って作業する作業者の位置は、ベランダ側壁６の外方に位置しているから、作業者が作業ステップ５０に乗ることによって、足場Ｍは、外側に向かう曲げモーメントがかかる。しかし、押圧部１３はベランダ天井壁５の幅方向の２点でベランダ天井壁５を押圧するとともに、主支柱１６、補助支柱１７が高さ調整機能を有しているから、ベランダ床面４とベランダ天井壁５との間で突っ張る力を強固にすることができる。しかも、第１の押圧部材１４が、ベランダ天井壁５幅方向に沿って長くなるような面接触でベランダ天井壁５を押し付けているから、足場Ｍがベランダ側壁６側に傾く虞はほとんどない。
【００５３】
所定の階層での作業を終了すると、作業者は足場台ユニット３０からベランダ３内に移動して足場Ｍを分解する。そして、分解した足場Ｍの部品をエレベータで次の階層に搬送する。
【００５４】
上述のように、実施形態の足場Ｍでは、ベース部１１、胴体部１２、押圧部１３、主支柱１６、補助支柱１７を備えて支柱ユニット１０が構成され、足場台ユニット３０を組付けることによって足場Ｍを構成することができる。足場台ユニット３０をベランダ側壁６上で走行するようにしたことから、隣室のベランダ同士を仕切るベランダ中柱７がある高層住宅であっても、足場台ユニット３０の移動によるベランダ中柱への干渉はない。そのため、ベランダ３内で組み付け分解できる足場を構成することができる。したがって、工期を短縮できて廉価な費用で外壁工事を行うことができる。
【符号の説明】
【００５５】
Ｍ、足場
３、ベランダ
４、ベランダ床面
５、ベランダ天井壁
６、ベランダ側壁
７、ベランダ中柱
１０、支柱ユニット
１１、ベース部
１２、胴体部
１２１ｂ、延設横支柱（延設部）
１３、押圧部
１４、第１の押圧部材
１５、第２の押圧部材
１６、主支柱
１７、補助支柱
２０、レール組
２１、レール
２５、レール
３０、足場台ユニット
３１、足場台
３２、走行ユニット
３２１ｂ、垂直腕部
【図１】
0005410407.tif 000002
【図２】
0005410407.tif 000003
【図３】
0005410407.tif 000004
【図４】
0005410407.tif 000005
【図５】
0005410407.tif 000006
【図６】
0005410407.tif 000007
【図７】
0005410407.tif 000008
【図８】
0005410407.tif 000009
【図９】
0005410407.tif 000010